(57)【要約】  高周波送信機能、電池及びキーパッドを有するセルラー電話のような認証携帯電子装置が開示される。この装置は更に、キーパッドのそばに、装置の利用者を認証するための指紋リーダーを含むと共に、この装置の利用者の同一性を検証するために遠隔の場所と認証信号を通信するためのトランシーバーも含む。遠隔の場所は、門、扉或いはバッヂ審査所であり得る。この装置は組織内の有線電話システムへの接続を有するトランシーバー受信機へ信号を送るための送信機も含み、その装置を用いて受信機を介して有線電話システムと相互に電話呼び出しできる。この装置は、コンピュータに操作可能に接続してそのコンピュータへのアクセスを許す前にその利用者の認証をするためのドッキング・クレードルへのコネクタを含む。このコネクタは電池の充電用インターフェースでもあり得る。
2007537680.tif 000002
【特許請求の範囲】
【請求項１】
高周波送信機能、電池及びキーパッドを有する認証携帯電子装置であって、
当該装置の利用者を認証するために当該装置のキーパッドの近傍に備えられた指紋リーダーと、
利用者の同一性を検証するために遠隔の場所と認証信号を通信するための当該装置内の送信装置及び受信装置と、
当該装置の受信装置を介して有線電話システムと相互に電話呼び出しできるように、組織内の有線電話システムへの接続を有するトランシーバーへ信号を送受信するための送信／受信装置と、
コンピュータに操作可能に接続してそのコンピュータへのアクセスを許す前にその利用者の認証をするためのドッキング・クレードルへのコネクタと、
を含む認証携帯電子装置。
【請求項２】
請求項１に記載の装置であって、前記携帯電子装置がセルラー電話であることを特徴とする認証携帯電子装置。
【請求項３】
請求項２に記載の装置であって、前記指紋リーダーが前記利用者の同一性を確認した時に、前記電話が前記遠隔の場所の高周波照会と通信することを特徴とする認証携帯電子装置。
【請求項４】
請求項３に記載の装置であって、前記遠隔の場所が門、扉及び可動の障害物から選択されることを特徴とする認証携帯電子装置。
【請求項５】
請求項３に記載の装置であって、前記装置が前記遠隔の場所との通信を開始することを特徴とする認証携帯電子装置。
【請求項６】
請求項３に記載の装置であって、前記遠隔の場所が、前記指紋リーダーの起動をトリガーする前記装置との通信を開始することを特徴とする認証携帯電子装置。
【請求項７】
請求項１に記載の装置であって、前記電子装置が、コンピュータに操作可能に接続してそのコンピュータへのアクセスを許す前にその利用者の認証をするためのドッキング・クレードルへのコネクタを含むことを特徴とする認証携帯電子装置。
【請求項８】
請求項７に記載の装置であって、前記コネクタが電池充電インターフェースであることを特徴とする認証携帯電子装置。
【請求項９】
高周波送信機能、電池及びキーパッドを有する認証携帯電子装置であって、
当該装置の利用者を認証するために利用者の指紋を読み取る、当該装置のキーパッドの近傍に備えられた指紋リーダー手段と、
利用者の同一性を検証するために遠隔の場所と認証信号を通信するための当該装置内の送信手段及び受信手段と、
当該装置の受信手段を介して有線電話システムと相互に電話呼び出しできるように、組織内の有線電話システムへの接続を有するトランシーバーへ信号を送信するためのトランシーバー手段と、
コンピュータに操作可能に接続してそのコンピュータへのアクセスを許す前にその利用者の認証をするためのドッキング・クレードルへのコネクタ手段と、
を含む認証携帯電子装置。
【請求項１０】
請求項９に記載の装置であって、前記携帯電子装置がセルラー電話であることを特徴とする認証携帯電子装置。
【請求項１１】
請求項１０に記載の装置であって、前記指紋リーダーが前記利用者の同一性を確認した時に、前記電話が前記遠隔の場所の高周波照会と通信することを特徴とする認証携帯電子装置。
【請求項１２】
請求項１１に記載の装置であって、前記遠隔の場所が門、扉及び可動の障害物から選択されることを特徴とする認証携帯電子装置。
【請求項１３】
請求項１１に記載の装置であって、前記装置が前記遠隔の場所との通信を開始することを特徴とする認証携帯電子装置。
【請求項１４】
請求項１１に記載の装置であって、前記遠隔の場所が、前記指紋リーダーの起動をトリガーする前記装置との通信を開始することを特徴とする認証携帯電子装置。
【請求項１５】
請求項９に記載の装置であって、前記電子装置が、コンピュータに操作可能に接続してそのコンピュータへのアクセスを許す前にその利用者の認証をするためのドッキング・クレードルへのコネクタを含むことを特徴とする認証携帯電子装置。
【請求項１６】
請求項１５に記載の装置であって、前記コネクタが電池充電インターフェースであることを特徴とする認証携帯電子装置。
【請求項１７】
施設内の認証及び通信システムであって、
高周波通信機能と、出入りする職員に関するデータを蓄積するデータベースと、前記施設内の資産と、有線電話システムとを有する施設ＩＴシステムと、
高周波送信機能、電池及びキーパッドを有する認証携帯電子装置とを含み、当該電子装置が、
当該装置の利用者を認証するために当該装置のキーパッドの近傍に備えられた指紋リーダーと、
利用者の同一性を検証するために遠隔の場所と認証信号を通信するための当該装置内のトランシーバーと、
当該装置の受信装置を介して有線電話システムと相互に電話呼び出しできるように、組織内の有線電話システムへの接続を有するトランシーバーへ信号を送信するためのトランシーバーと、
コンピュータに操作可能に接続してそのコンピュータへのアクセスを許す前にその利用者の認証をするためのドッキング・クレードルへのコネクタと、
を含むことを特徴とするシステム。
【請求項１８】
請求項１７に記載のシステムであって、前記携帯電子装置がセルラー電話であることを特徴とする認証携帯電子装置。
【請求項１９】
請求項１８に記載のシステムであって、前記指紋リーダーが前記利用者の同一性を確認した時にのみ、前記電話が前記遠隔の場所の高周波照会と通信することを特徴とする認証携帯電子装置。
【請求項２０】
請求項１９に記載のシステムであって、前記遠隔の場所が門、扉及び可動の障害物から選択されることを特徴とする認証携帯電子装置。
【請求項２１】
請求項１９に記載のシステムであって、前記装置が前記遠隔の場所との通信を開始することを特徴とする認証携帯電子装置。
【請求項２２】
請求項１９に記載のシステムであって、前記遠隔の場所が、前記指紋リーダーの起動をトリガーする前記装置との通信を開始することを特徴とする認証携帯電子装置。
【請求項２３】
請求項１７に記載のシステムであって、前記電子装置が、コンピュータに操作可能に接続してそのコンピュータへのアクセスを許す前にその利用者の認証をするためのドッキング・クレードルへのコネクタを含むことを特徴とする認証携帯電子装置。
【請求項２４】
請求項２３に記載のシステムであって、前記コネクタが電池充電インターフェースであることを特徴とする認証携帯電子装置。
【発明の詳細な説明】
【技術分野】
【０００１】
本発明は一般的に無線電話の安全確保に関し、特に無線電話の種々の利用に対する認証の為のシステムに関する。
【背景技術】
【０００２】
セルラー即ち無線電話の利用は近年非常に拡大して、従来の有線電話を置き換える脅威となる程広範囲に及んでいる。これらの電話は、インターネット接続、動画送信、ゲーム、楽音の鳴動、指紋生体測定、カレンダー及び計算機、文書通信、発呼者識別、等の多くの特徴を有している。無線電話はまた平日の作業の一部としてビジネスマンや技術者によって用いられてもいる。
【０００３】
同時に、商用、政府及び軍の施設が安全確保（セキュリティ）に関してますます関心をしめし、現在、コンピュータ、バッヂリーダー及び他の識別管理／アクセス制御システムの利用者の認証手段が求められている。利用者は現在認証に対する複数の装置及び技術を有する。雇用者は多くのシステムを維持しなければならない。これは費用がかかり、不便であり、誤りを犯しやすい。
【０００４】
商用、政府及び軍の組織は、他の機能と共に多くの認証方法を必要とするので、２つ以上のデータベース・システムが必要で、これらの複数のデータ・システムは費用がかかり、２重になり、完全性に対して常に正確に整合しているとは限らない。もし複数のシステムを１つに組み合わせる時には、これらの実体の操作においてもう１つの要因が生ずる。
【発明の開示】
【発明が解決しようとする課題】
【０００５】
全てではないが殆どのセルラー電話やＰＤＳは、一般消費者用品として設計されており、組織的通信施設に統合されていない。進歩した無線電話が認識バッヂのような他の装置の利用を除去するように進化するなら大きな利点が生じるだろう。
【０００６】
現代社会では、専門の電子装置のコストが下がると同時に雇用のコストは上がっている。認証用途等のための雇用コストを削減する電子装置を用いるための装置が提供出来るなら他の利点も生ずるだろう。
【０００７】
他の利点や特徴は以後に説明される。
【課題を解決するための手段】
【０００８】
本願発明は、セルラー即ち無線電話のような無線通信機能を有する認証用携帯電子装置を提供する。この装置は電池と表示装置及びキーパッドを有する。この装置はそのキーパッドのそばに、その装置の使用者を認証するための指紋リーダーを備え、それを他人が利用しようとしても機能しないことで、その装置の安全確保を担保する。
【０００９】
受信機がその装置の１部であり、遠隔の場所と認証信号を通信して利用者の同一性を実証する。遠隔の場所は門、扉や他の可動の障害物であり得、あるいはそこに接近する時に通常バッヂを検査する守衛所であり得る。１つの実施例では、その装置は前記指紋リーダーを起動すると同時に遠隔の場所との通信を開始する。代替の実施例では、その装置の指紋リーダーの起動と同時に遠隔の場所がその装置との通信を開始する。どちらの例でも、装置は指紋リーダーが利用者の同一性を確認した場合に限って、遠隔の場所の高周波照会と通信する。
【００１０】
この装置は組織内の有線電話システムへの接続を有するトランシーバー受信機へ信号を送るための送信機を含み、その装置を用いて受信機を介して有線電話システムと相互に電話呼び出しできる。この装置は、コンピュータや他の電子装置に操作可能に接続してそのコンピュータへのアクセスを許す前にその利用者の認証をするためのドッキング・クレードルへのコネクタを含む。このコネクタは、コンピュータやその他の電子装置へのＵＳＢ接続を用いるような、電池の充電用インターフェースの１部であり得る。
【００１１】
本願発明のより完全な理解のために図面を参照する。
【００１２】
図面を参照すると、システム１０は一般的に雇用者施設１３のような位置と相互作用するセルラー電話１１のような認証携帯電子装置を含む。好適な認証携帯電子装置はセルラー電話１１であるが、ポケットベル、ＰＤＡ等のような信号を送受信できる任意の携帯機器であり得る。図示の認証電話機１１は通常の高周波セルラー電話であり、表示装置、キーパッド、電池及び電池の再充電用の接続を有する。電話１１はまた利用者の指１６によってアクセスされる指紋リーダー１５も有する。電話１１は通常用いられるセルラー電話周波数で動作し、スマートカードをエミュレートするための１３．５６ＭＨｚの高周波インターフェースを含み得る。
【００１３】
雇用者施設１３は、従業者の入館や、独自の情報、ＰＣ及びラップトップ等の資産管理に関する安全確保の必要を有する典型的な企業のビルディングとして例示する目的のために示されている。施設１３は、限定の意味でなく、倉庫、政府ビルディング、軍施設や基地、空港、学校、銀行または他の金融機関、または入ることを指定された人間にのみ限定された任意の施設であり得る。
【００１４】
通常、本願発明の第１の用途は人が施設に入ろうとした時である。利用者が箱１７として図示された門に入ろうとすると、その時その門と電話１１は高周波信号を介して相互に検出する。利用者は生体測定認証を提供するために指を指紋リーダーに置く。電話１１はそれが認識するようにプログラムされた正しい利用者を受け入れ、即ち確認する。電話１１は無線リンクを介して門１１と暗号化署名された証明書をやりとりする。電話が署名された証明書信号を送受信でき、交替に門１７がその信号を送受信できることに注意されたい。彼の点で車又は利用者が近付いた時、門が開く。
【００１５】
典型的なシナリオでは、利用者は車を駐車し、施設の正面扉に近付く。認証電話機１１と箱１９内のバッヂ・リーダーが相互に検出する。再度利用者は要求された生体測定データを提供し、バッヂ・リーダー１９は扉を開く。バッヂ・リーダー１９はまた時刻と出勤情報を従業者データベースに送る。
【００１６】
利用者は普通ホールに下り、移動中に電話をするかもしれない。この電話は、これも箱１９内にあるローカル・セルラー電話ピコ・トランシーバーを通過し、ＰＢＸ２１を介して箱２３として図示される有線電話システムを通って発信されるように経路設定される。この電話はＰＢＸ２１によって処理されたので、施設の方針に従って、利用者は電話料金を課金されないこともあり得る。利用者はもはや彼の机に有線電話を持たないかもしれない。
【００１７】
利用者が仕事や他の活動をする机に就いて電話１１をＵＳＢドッキング・クレードルのようなクレードル２５に挿入すると、それは箱２７として示されるデスクトップ或いはラップトップ・コンピュータに接続される。コンピュータは典型的なワークステーションの例として箱２７で示されるが、電子装置或いは電子的構成要素を有する他の任意の装置も用い得る。例えば、箱２７は、ガスクロマトグラフ、又はＸ線機械、又は軍或いは政府装置、又は任意の他のそのような装置を含むことが出来る。一旦電話１１がクレードル２５に挿入されると、利用者は生体測定即ち指紋を提供し、セルラー電話１１は利用者のための自動ログインを実行する。これはアクティブ・ディレクトリのような、従業者のデータベース２９を呼び出し、或いはコンピュータ２７と電話１１との間のみの局所的に動作する。電話は利用者の指紋データを装置（ＰＣ、バッヂ・リーダー等）に随意に送り、当該装置に指紋の検証の実行をさせる。クレードル２５は利用者のカレンダーへのＰＤＡ機能のホットシンク（同期）も出来る。電話１１の電池の充電もする。
【００１８】
利用者は施設１３を離れて電話をかける必要が出来るかもしれない。認証セルラー電話１１は箱３１として示される外部セルラー電話ネットワークに接続し、この発信は通常のセルラー電話の発信と同様に行なわれる。発信はセルラー電話提供事業者を介して従業者或いは加入者に課金される。
【００１９】
ある組織は、Ｈｏｎｅｙｗｅｌｌ  Ｅｎｔｅｒｐｒｉｓｅ  Ｂｕｉｌｄｉｎｇ  Ｉｎｔｅｇｒａｔｉｏｎ  ａｕｔｈｅｎｔｉｃａｔｏｒとして知られているシステムのような、ビルディング統合システムとして知られるものを有し、それは安全確保（セキュリティ）、アクセス制御及びビルディング制御などを含む。この様なシステムと共に本願発明を用いると、例えば上述のような電子的バッヂ・リーダーを用いて守衛所の守衛要員を置き換えることによって著しいコスト低減を実現する。本願発明は物理的なビルディング制御をＩＴシステムの管理と統合し、無線電話システムをビルディングＰＢＸに統合することを実現する。これはＥＢＩデータベースとＩＴデータベースの必要のような２重化の効果を防ぎ、エラーと混乱を削減し、多くの中の新しいデータの観点において単純に１つのデータベースを更新することが必要となる。
【００２０】
本願発明の特定の実施例が示され説明されたが、これらは単なる例示であって当業者には本願発明の精神と範囲を離れずに説明された実施例の変形や修正が可能であろう。そのような全ての等価な変形や修正は、本願発明の範囲に含まれることを意図するものであって、制限することを意図するものでなく、請求項に依ってのみ定義されるものである。
【図面の簡単な説明】
【００２１】
【図１】図１は本願発明の装置及びシステムに対する構成を示す概略ブロック図である。
【図１】
2007537680.tif 000003
【国際調査報告】
2007537680.tif 000004
2007537680.tif 000005
2007537680.tif 000006